(57)【要約】【課題】複数の電源装置を制御する技術の有用性を向上させる電源装置、電源装置の制御装置、及び電源装置の制御方法を提供する。【解決手段】電源装置は、少なくとも１つの他の装置とともにバス型の通信線に接続される。電源装置は、記憶部と、通信部と、制御部と、を備える。制御部は、自装置から他の装置のうち第１の装置への信号であることを示す第１のＩＤ、及び自装置からの送信先を指定しない信号であることを示す第３のＩＤを記憶部に記憶する。制御部は、第１のＩＤを含む信号又は第３のＩＤを含む信号を通信部から送信する。【選択図】図１
2020017930.tif 000002
【特許請求の範囲】
【請求項１】
少なくとも１つの他の装置とともにバス型の通信線に接続される電源装置であって、
記憶部と、
通信部と、
制御部と、
を備え、
前記制御部は、
自装置から前記他の装置のうち第１の装置への信号であることを示す第１のＩＤ、及び自装置からの送信先を指定しない信号であることを示す第３のＩＤを前記記憶部に記憶し、
前記第１のＩＤを含む信号又は前記第３のＩＤを含む信号を前記通信部から送信する、
電源装置。
【請求項２】
前記制御部は、
前記第１の装置から自装置への信号であることを示す第２のＩＤを前記記憶部に記憶し、
前記第２のＩＤを含む信号を前記通信部にて受信する、請求項１に記載の電源装置。
【請求項３】
前記制御部は、
前記第１のＩＤ及び前記第２のＩＤを所定の処理と関連付けて前記記憶部に記憶し、
前記第２のＩＤを含む信号を前記通信部にて受信すると、前記所定の処理を実行した結果と前記第１のＩＤとを含む信号を、前記通信部から送信する、請求項２に記載の電源装置。
【請求項４】
前記制御部は、前記第３のＩＤを含む信号を前記通信部から所定のタイミングで繰り返し送信する、請求項１から３のいずれか一項に記載の電源装置。
【請求項５】
前記制御部は、
前記通信線において自装置と隣り合うノードに接続された装置からの、送信先を指定しない信号であることを示す、第４のＩＤを前記記憶部に記憶し、
前記第４のＩＤを含む信号を前記通信部にて受信する、請求項１から４のいずれか一項に記載の電源装置。
【請求項６】
前記記憶部に記憶されるＩＤの数は、前記通信線に接続される他の装置の数によらず一定の数である、請求項１から４のいずれか一項に記載の電源装置。
【請求項７】
少なくとも１つの他の装置とともにバス型の通信線に接続される電源装置、の制御装置であって、
前記電源装置に、
前記電源装置から前記他の装置のうち第１の装置への信号であることを示す第１のＩＤ、及び前記電源装置からの送信先を指定しない信号であることを示す第３のＩＤを記憶させ、
前記第１のＩＤを含む信号又は前記第３のＩＤを含む信号を送信させる、
制御装置。
【請求項８】
少なくとも１つの他の装置とともにバス型の通信線に接続される電源装置、の制御方法であって、
前記電源装置から前記他の装置のうち第１の装置への信号であることを示す第１のＩＤ、及び前記電源装置からの送信先を指定しない信号であることを示す第３のＩＤを記憶するステップと、
前記第１のＩＤを含む信号又は前記第３のＩＤを含む信号を送信するステップと、
を含む、制御方法。
【発明の詳細な説明】
【技術分野】
【０００１】
本開示は、電源装置、電源装置の制御装置、及び電源装置の制御方法に関する。
【０００２】
従来、複数の装置を制御する技術が知られている。例えば、特許文献１には、制御装置に直接接続される複数の被制御装置に、自動で識別情報を付与する方法が開示されている。
【先行技術文献】
【特許文献】
【０００３】
【特許文献１】特開２０００−１７４７８３号公報
【発明の概要】
【発明が解決しようとする課題】
【０００４】
複数の電源装置を制御する技術の更なる有用性向上が望まれている。
【０００５】
本開示の目的は、複数の電源装置を制御する技術の有用性を向上させる電源装置、電源装置の制御装置、及び電源装置の制御方法を提供することにある。
【課題を解決するための手段】
【０００６】
本開示の実施形態に係る電源装置は、少なくとも１つの他の装置とともにバス型の通信線に接続される。前記電源装置は、記憶部と、通信部と、制御部と、を備える。前記制御部は、自装置から前記他の装置のうち第１の装置への信号であることを示す第１のＩＤ、及び自装置からの送信先を指定しない信号であることを示す第３のＩＤを前記記憶部に記憶する。前記制御部は、前記第１のＩＤを含む信号又は前記第３のＩＤを含む信号を前記通信部から送信する。
【０００７】
本開示の実施形態に係る制御装置は、少なくとも１つの他の装置とともにバス型の通信線に接続される電源装置、の制御装置である。前記制御装置は、前記電源装置に、前記電源装置から前記他の装置のうち第１の装置への信号であることを示す第１のＩＤ、及び前記電源装置からの送信先を指定しない信号であることを示す第３のＩＤを記憶させる。前記制御装置は、前記電源装置に、前記第１のＩＤを含む信号又は前記第３のＩＤを含む信号を送信させる。
【０００８】
本開示の実施形態に係る制御方法は、少なくとも１つの他の装置とともにバス型の通信線に接続される電源装置、の制御方法である。前記制御方法は、前記電源装置から前記他の装置のうち第１の装置への信号であることを示す第１のＩＤ、及び前記電源装置からの送信先を指定しない信号であることを示す第３のＩＤを記憶するステップを含む。前記制御方法は、前記第１のＩＤを含む信号又は前記第３のＩＤを含む信号を送信するステップを含む。
【発明の効果】
【０００９】
本開示の実施形態に係る電源装置、電源装置の制御装置、及び電源装置の制御方法によれば、複数の電源装置を制御する技術の有用性が向上する。
【図面の簡単な説明】
【００１０】
【図１】本開示の一実施形態に係る電源システムの概略構成図である。
【図２】本開示の一実施形態に係る電源装置の機能ブロック図である。
【図３】本開示の一実施形態に係る電源システムの状態の一例を示す図である。
【図４】図３に記載の電源システムが実行する処理の一例のシーケンス図である。
【図５】図３に記載の電源システムが実行する処理の他の例のシーケンス図である。
【発明を実施するための形態】
【００１１】
以下、本開示の一実施形態について、図面を参照して説明する。本実施形態では、電源装置の一例として、蓄電装置を示す。蓄電装置は、例えば、外部から供給される電力を充電することができる。また、蓄電装置は、充電した電力を外部に放電することができる。電源装置は、蓄電装置に限られない。電源装置は、外部に電力を供給できる任意の装置であってもよく、例えば、太陽電池、風力発電装置、水力発電装置及び燃料電池等の電源装置であってもよい。
【００１２】
図１は、本開示の一実施形態に係る電源システム１の一例を示す概略構成図である。電源システム１には、パワーコンディショナ１０及び蓄電装置２０Ａ、２０Ｂ、及び２０Ｃ等の装置が含まれる。電源システム１は、電力系統５０に接続され、電力系統５０に接続された負荷６０等に電力を供給する。電源システム１は、売電可能な電力等を電力系統５０に供給してもよい。負荷６０は、例えば、電力を消費する任意の電気機器等である。以下、蓄電装置２０Ａ、２０Ｂ、及び２０Ｃを特に区別しない場合、単に、蓄電装置２０と総称する。なお、図１において、説明の簡便のため、パワーコンディショナ１０及び蓄電装置２０のそれぞれから電力を供給する際の電力線の図示は省略する。
【００１３】
電源システム１において、蓄電装置２０は、パワーコンディショナ１０及び蓄電装置２０等の、少なくとも１つの他の装置とともに共通の通信線３０に通信可能に接続される。図１において、共通の通信線３０は実線で示される。共通の通信線３０は、例えば、バス型に構成されてもよい。以降、共通の通信線３０を共通線３０、又はバス型の通信線３０ともいう。電源システム１に含まれる各装置は、共通線３０上の各ノード３１Ａ、３１Ｂ、３１Ｃ、及び３１Ｄに接続される。以下、ノード３１Ａ、３１Ｂ、３１Ｃ、及び３１Ｄを特に区別しない場合、単に、ノード３１と総称する。図１において、ノード３１は黒丸で示される。本明細書において、共通線３０に設けられたノード３１のうち、共通線３０上でお互いに最も離れた場所に位置するノード３１をそれぞれ共通線３０の端部という。図１において、電源システム１に含まれる装置のうち、パワーコンディショナ１０及び蓄電装置２０Ｃが、それぞれ共通線３０の端部であるノード３１Ａ及び３１Ｄに接続されている。
【００１４】
更に、電源システム１に含まれる装置は、共通線３０の隣り合うノード３１に接続された他の装置と、装置同士を１対１で通信可能に接続するための個別の通信線４０により接続される。図１において、個別の通信線４０は破線で示される。以降、個別の通信線４０を個別線４０ともいう。図１において、蓄電装置２０Ａは、ノード３１Ｂと隣り合うノード３１Ａに接続されたパワーコンディショナ１０、及びノード３１Ｂと隣り合うノード３１Ｃに接続された蓄電装置２０Ｂのそれぞれと、個別線４０で接続されている。このため、図１において、電源システム１に含まれる装置は、３本の個別線４０により、パワーコンディショナ１０、蓄電装置２０Ａ、２０Ｂ、及び２０Ｃの順に、直列に接続されている。共通線３０及び個別線４０は、信号の送信方向が同一又は異なる複数の通信線を含んでもよい。複数の通信線は、ＬＡＮケーブル等のように１つのケーブル状にまとめられてもよい。本明細書において、共通線３０及び個別線４０は有線であるものとして説明する。しかしながら、共通線３０及び個別線４０はそれぞれ有線、無線又はその両方であってもよい。
【００１５】
パワーコンディショナ１０及び蓄電装置２０は、用途に応じて、共通線３０又は個別線４０を介して互いに通信を行う。パワーコンディショナ１０及び蓄電装置２０は、主に共通線３０を介して他の装置とＣＡＮ（Controller Area Network）通信等の通信を行ってもよい。一方で、パワーコンディショナ１０及び蓄電装置２０は、共通線３０の設定中など、共通線３０で通信ができない場合に、個別線４０を介して通信を行ってもよい。例えば、パワーコンディショナ１０及び蓄電装置２０は、共通線３０における通信に向けた処理のために、個別線４０を介して通信を行ってもよい。共通線３０における通信に向けた処理には、共通線３０の端部に終端抵抗を接続する処理、或いは共通線３０での通信に用いる識別子（ＩＤ、identifier）をそれぞれの装置に付与する処理等が含まれてもよい。
【００１６】
図１では、一例として、１台のパワーコンディショナ１０と、３台の蓄電装置２０Ａ、２０Ｂ、及び２０Ｃを含む電源システム１が図示されているが、電源システム１に含まれる装置の構成及び数は任意に定められてもよい。例えば、電源システム１に求められる蓄電容量に応じて、蓄電装置２０は、増設又は撤去されてもよい。
【００１７】
パワーコンディショナ１０は、電力制御装置（ＰＣＳ、Power Conditioning System）ともいう。パワーコンディショナ１０は、蓄電装置２０から出力された直流電力を交流電力に変換して電源システム１の外部に供給し、或いは、電源システム１の外部から供給される交流電力を直流電力に変換して蓄電装置２０に充電してもよい。更に、パワーコンディショナ１０は、蓄電装置２０による充電及び放電を制御し、蓄電装置２０の充電状態及び動作状態等の充放電の制御に必要な情報を取得してもよい。パワーコンディショナ１０は、蓄電装置２０の制御及び情報の取得等に関する信号を、前述した共通線３０を介して送受信してもよい。
【００１８】
蓄電装置２０は、電力系統５０に接続された負荷６０等に電力を供給する。蓄電装置２０は、蓄電装置２０自身に充電された電力を電力系統５０及び負荷６０を含む、電源システム１の外部に供給する。以下、蓄電装置２０自身を自装置ともいう。また、蓄電装置２０は、電源システム１の外部から供給された電力を充電する。蓄電装置２０は、パワーコンディショナ１０から共通線３０を介して受信した信号に基づき、電力の充電及び放電、或いは蓄電装置２０に関する情報を含む信号の送信等を行ってもよい。更に、蓄電装置２０は、共通線３０を介して、他の蓄電装置２０に対して自装置の充電状態及び動作状態等に関する情報を含む信号の送信等を行ってもよい。
【００１９】
図２に、本開示の一実施形態に係る電源装置の一例である蓄電装置２０の概略構成を示す。蓄電装置２０は、制御部２１、蓄電部２２、通信部２３、記憶部２４、報知部２５、入力部２６、終端抵抗２７、及びスイッチ２８等の構成要素を備えてもよい。説明のため、図２において左側を上位と呼び、右側を下位と呼ぶ。例えば、図２において、蓄電装置２０は、他の装置７０Ａの下位に設置されている。また、蓄電装置２０は、他の装置７０Ｂの上位に設置されている。
【００２０】
制御部２１は、詳細を後述するように、蓄電装置２０の各構成要素を制御するための処理を行う１つ以上のプロセッサである。制御部２１は、制御手順を規定したプログラムを実行するＣＰＵ（Central Processing Unit）等のプロセッサ又は特定の処理に特化した専用のプロセッサで構成されてもよい。
【００２１】
制御部２１は、蓄電装置２０の各構成要素と有線、無線又はその両方で接続され、これらの構成要素をはじめとして蓄電装置２０の全体又は一部を制御及び管理する。制御部２１は、記憶部２４に記憶されているプログラムを取得して、このプログラムを実行することにより、蓄電装置２０の各構成要素に係る種々の機能を実現する。制御部２１が行う本実施形態に特徴的な制御については、さらに後述する。
【００２２】
蓄電部２２は、制御部２１の制御に基づき、電力の充電及び放電を行う。蓄電部２２は、例えば、鉛蓄電池、ニッケル水素蓄電池、リチウムイオン電池、ナトリウム硫黄電池、又はこれらの組み合わせ等の任意の蓄電池を含んでもよい。蓄電部２２は、１つ以上のセルで構成されてもよい。蓄電部２２による電力の充電及び放電は、セルの単位で、制御部２１により制御及び管理されてもよい。或いは、蓄電部２２による電力の充電及び放電は、複数のセルを接続したモジュールの単位で、制御部２１により制御及び管理されてもよい。蓄電部２２を構成するセル及びモジュールの数、若しくはモジュールに含まれるセルの数は、蓄電装置２０の用途等に応じて、任意に定められてもよい。
【００２３】
通信部２３は、制御部２１の制御に基づき、他の装置と通信を行う。例えば、通信部２３は、電源システム１に含まれる他の装置７０Ａ、７０Ｂ、及び７０Ｃの通信部とともに共通線３０に接続される。以下、共通線３０に共に接続される他の装置７０Ａ、７０Ｂ、及び７０Ｃを特に区別しない場合、単に、他の装置７０と総称する。通信部２３は、共通線３０を介して、他の装置７０からの信号を受信し、他の装置７０へ信号を送信する。共通線３０に接続される他の装置７０には、例えば、パワーコンディショナ１０、蓄電装置２０、又は他の電源装置等が含まれてもよい。蓄電装置２０は、共通線３０を介して、信号を他の装置７０から受信し、受信した信号に基づき動作してもよい。また、蓄電装置２０は、共通線３０を介して、充電量及び故障状況等の蓄電装置２０に関する情報を含む信号を他の装置７０に送信してもよい。
【００２４】
更に、共通線３０には、終端抵抗２７及びスイッチ２８が接続されていてもよい。スイッチ２８は、終端抵抗２７の共通線３０との接続を制御可能な任意の機器であってもよい。制御部２１によりスイッチ２８が制御されることにより、終端抵抗２７は、共通線３０に接続され、或いは共通線３０から切り離される。終端抵抗２７は、蓄電装置２０が共通線３０の端部に位置する場合に、共通線３０に接続される。これにより、共通線３０の端部における信号の不要な反射を防ぐことができ、共通線３０を介して送信される信号の品質が向上する。
【００２５】
また、通信部２３は、他の装置７０のうち、共通線３０の隣り合うノード３１に接続された他の装置７０Ａ及び７０Ｂのそれぞれと個別線４０Ａ及び４０Ｂにより接続される。以下、個別線４０Ａ及び４０Ｂを特に区別しない場合、単に、個別線４０と総称する。これにより、共通線３０に接続される蓄電装置２０及び他の装置７０のそれぞれは、個別線４０により直列に接続される。通信部２３は、個別線４０を介して、他の装置７０Ａ及び７０Ｂからの信号を受信し、他の装置７０Ａ及び７０Ｂへの信号を送信する。従って、蓄電装置２０は、共通線３０で通信ができない場合であっても、個別線４０を介して、他の装置７０Ａ及び７０Ｂと通信することができる。このため、蓄電装置２０は、個別線４０を介して、他の装置７０と通信して、共通線３０における通信を可能にするために、共通線３０の端部に接続された装置の終端抵抗２７を共通線３０に接続してもよい。更に、蓄電装置２０は、個別線４０を介して、他の装置７０と通信して、共通線３０における通信で用いるＩＤを作成してもよい。
【００２６】
記憶部２４は、蓄電装置２０の各機能を制御するための処理、処理に用いられる情報及びプログラム等を記憶する。記憶部２４は、例えば半導体メモリ、磁気メモリ、又は光メモリ等であってもよい。記憶部２４は、例えば主記憶装置又は補助記憶装置として機能してもよい。記憶部２４は、制御部２１に含まれるキャッシュメモリ等であってもよい。また、記憶部２４は、揮発性の記憶装置であってもよく、不揮発性の記憶装置であってもよい。本実施形態では、記憶部２４は、例えば、詳細を後述するように、共通線３０における通信で用いられるＩＤを特定する情報を記憶する。
【００２７】
報知部２５は、音、振動、光、及び画像等で情報を報知する。報知部２５は、例えばスピーカ、振動子、ランプ、及び表示デバイス等の少なくとも１つを含んでもよい。表示デバイスは、例えば液晶ディスプレイ又は有機ＥＬディスプレイ等とすることができる。報知部２５は、蓄電部２２の充電量又は劣化度合い、記憶部２４に記憶されたＩＤ、終端抵抗２７の接続の有無、及び自装置の故障の有無等の少なくとも１つの情報を報知してもよい。
【００２８】
入力部２６は、ユーザからの入力操作を受け付ける。入力部２６は、例えば電源ボタン等の物理キー、報知部２５の表示デバイスと一体的に設けられたタッチパネル等の入力デバイス、及びマウス等のポインティングデバイス等の少なくとも１つを含む。入力部２６は、ユーザによって操作されると、そのユーザ操作を電子情報として制御部２１に送信する。
【００２９】
（終端抵抗の接続及びＩＤの設定）
以下に、制御部２１による蓄電装置２０の各構成要素の制御について説明する。まず、共通線３０を使用可能にするために実施される、制御部２１による制御を説明する。制御部２１は、通信部２３から、個別線４０を介して、他の装置７０に、装置の存在を通知する信号を送信する。以下、装置の存在を通知する信号を、存在通知信号ともいう。例えば、存在通知信号は、図２において、下位の装置から上位の装置に送信されてもよい。かかる場合、制御部２１は、通信部２３から、個別線４０Ａを介して、他の装置７０Ａに、存在通知信号を送信する。一方で、制御部２１は、他の装置７０Ｂから、個別線４０Ｂを介して、通信部２３にて、存在通知信号を受信する。存在通知信号は、任意の信号であってよい。例えば、存在通知信号は、電圧のハイ又はローによるデジタル信号であってもよい。存在通知信号は、任意のタイミングで送信されてもよい。例えば、蓄電装置２０が起動されたとき、蓄電装置２０に個別線４０が接続されたとき、或いは入力部２６において存在通知信号を送信するためのユーザ操作を受け付けたときに、蓄電装置２０の存在通知信号が送信されてもよい。
【００３０】
これにより、電源システム１において、個別線４０で直列に接続された蓄電装置２０を含む複数の装置７０は、個別線４０の接続に沿って、一定の方向に存在通知信号を順次送信することができる。存在通知信号が送信される方向は、前述した方向に限られず、その反対方向、つまり、図２の上位の装置から下位の装置に送信されてもよい。
【００３１】
制御部２１は、通信部２３にて、他の装置７０Ｂから存在通知信号を受信したか否かに基づき、蓄電装置２０が共通線３０の端部に接続されているか否かを判定する。具体的には、制御部２１は、通信部２３にて、他の装置７０Ｂからの存在通知信号を受信しない場合に、他の装置７０Ｂが存在していない、すなわち蓄電装置２０が共通線３０の端部に接続されていると判定してもよい。本明細書において、共通線３０の「端部に接続されている」とは、共通線３０に設けられたノード３１のうち、そのノード３１よりも端部側に装置が接続されたノード３１が存在しないことを意味する。制御部２１は、自装置が共通線３０の端部に接続されているか否かの判定の結果を記憶部２４に記憶してもよい。他の装置７０Ｂの存在通知信号を受信したか否かの判定は、種々の方法で行われてよい。例えば、制御部２１は、蓄電装置２０が起動されてから、他の装置７０Ｂから存在通知信号を受信せずに所定期間経過した場合に、他の装置７０Ｂから存在通知信号を受信しないと判定してもよい。
【００３２】
制御部２１は、蓄電装置２０が共通線３０の端部に接続されていると判定された場合に、スイッチ２８を制御して、終端抵抗２７を共通線３０に接続する。かかる場合、制御部２１は、自装置の終端抵抗２７を共通線３０に接続したことを記憶部２４に記憶してもよい。これらの処理を、電源システム１に含まれる複数の装置がそれぞれ実行することによって、電源システム１の共通線３０の１つ又は両方の端部に終端抵抗２７が接続され得る。
【００３３】
次に、制御部２１は、他の装置７０Ａから、個別線４０Ａを介して、通信部２３にて、他の装置７０ＡのＩＤを含む信号を受信する。制御部２１は、他の装置７０ＡのＩＤに基づき、自装置のＩＤを算出する。更に、制御部２１は、通信部２３から、個別線４０Ｂを介して、他の装置７０Ｂに、自装置のＩＤを含む信号を送信する。以下、装置のＩＤを含む信号を、ＩＤ信号ともいう。ＩＤ信号は、上位の装置から下位の装置に送信されてもよい。ＩＤ信号は、任意の信号であってよい。例えば、ＩＤ信号は、複数の信号線を用いた電圧のハイ又はローの組み合わせによるデジタル信号であってもよい。また、ＩＤ信号は、振幅変調、周波数変調、又は位相変調等を用いたアナログ信号、或いはＰＷＭ（Pulse Width Modulation）を用いたパルス信号等であってもよい。更に、制御部２１は、ＩＤ信号を送信する際に、自装置の終端抵抗２７が共通線３０に接続されているか否かを判定してもよい。制御部２１は、装置の終端抵抗２７が共通線３０に接続されている場合に、他の装置７０Ｂが存在していない、すなわち蓄電装置２０が共通線３０の端部に接続されていると判定してもよい。かかる場合に、制御部２１は、通信部２３から、個別線４０Ａを介して、他の装置７０Ｂに、自装置のＩＤを含む信号を送信しなくてもよい。
【００３４】
これにより、電源システム１において、個別線４０で直列に接続された蓄電装置２０を含む複数の装置７０は、個別線４０の接続に沿って、一定の方向にＩＤ信号を順次送信することができる。ＩＤ信号が送信される方向は、前述した方向に限られず、その反対方向、つまり、図２の下位の装置から上位の装置に送信されてもよい。また、ＩＤ信号と存在通知信号とは反対方向に送信されてもよく、或いは、同じ方向に送信されてもよい。
【００３５】
制御部２１は、受信したＩＤ信号に含まれる他の装置７０ＡのＩＤに基づき、任意の方法で蓄電装置２０のＩＤを算出してもよい。例えば、ＩＤが数値情報である場合、制御部２１は、受信した他の装置７０ＡのＩＤに所定の数値を加算或いは減算することで、蓄電装置２０のＩＤを算出してもよい。ＩＤを算出する方法は、電源システム１に含まれる全ての装置で同一とされてもよい。これによって、制御部２１は、自装置と他の装置７０とが接続された共通線３０のノードの位置等に基づいて、自装置のＩＤから他の装置７０のＩＤを算出することができる。
【００３６】
蓄電装置２０のＩＤは、任意の用途に用いられてもよい。例えば、蓄電装置２０のＩＤは、共通線３０に接続される他の装置７０と通信を行うために用いられてもよい。例えば、共通線３０においてＣＡＮ通信が行われる場合、ＩＤはＣＡＮ通信で用いられる１１ビット又は２９ビットのＩＤであってもよい。蓄電装置２０のＩＤには、複数のＩＤが含まれてもよい。例えば、蓄電装置２０のＩＤには、自装置から他の装置７０のうち第１の装置への信号であることを示す第１のＩＤ、又は第１の装置から自装置への信号であることを示す第２のＩＤが含まれてもよい。蓄電装置２０のＩＤには、自装置からの送信先を指定しない信号であることを示す第３のＩＤが含まれてもよい。更に、蓄電装置２０のＩＤには、共通線３０において自装置と隣り合うノード３１に接続された装置からの、送信先を指定しない信号であることを示す、第４のＩＤが含まれてもよい。蓄電装置２０のＩＤに複数のＩＤが含まれる場合、前述したＩＤ信号には、複数のＩＤのうち少なくとも１つのＩＤが含まれ得る。
【００３７】
制御部２１は、算出された蓄電装置２０のＩＤを記憶部２４に記憶してもよい。制御部２１は、算出された蓄電装置２０のＩＤそのものを記憶部２４に記憶してもよく、ＩＤを特定する情報を記憶部２４に記憶して、ＩＤを使用する際に記憶部２４に記憶されたＩＤを特定する情報に基づいて蓄電装置２０のＩＤを算出してもよい。例えば、制御部２１は、複数のＩＤの全てを記憶部２４に記憶してもよい。或いは、制御部２１は、複数のＩＤのうち少なくとも１つのＩＤを、ＩＤを特定する情報として記憶部２４に記憶し、他のＩＤを使用する際に、ＩＤを特定する情報として記憶されたＩＤに基づいて、他のＩＤを算出してもよい。例えば、制御部２１は、前述した、自装置からの信号を示す第３のＩＤに所定の値を加算又は減算して、共通線３０において蓄電装置２０と隣り合うノード３１に接続された装置からの信号を示す第４のＩＤを算出してもよい。これらの処理を、電源システム１に含まれる複数の装置がそれぞれ実行することによって、それぞれの装置にＩＤが付与され、共通線３０における通信が可能になる。
【００３８】
（バス型の通信線における通信）
前述のとおり、電源システム１の共通線３０の端部にそれぞれ終端抵抗２７が接続され、共通線３０に接続されるそれぞれの装置にＩＤが付与されると、共通線３０における装置間の通信が行われる。以下に、共通線３０を介して他の装置７０と通信するために実施される、制御部２１による制御を説明する。制御部２１は、前述した複数のＩＤのいずれかを含む信号を通信部２３により送信又は受信する。具体的には、制御部２１は、複数のＩＤの何れかを含む信号を通信部２３から共通線３０を介して他の装置７０に送信し、或いは、複数のＩＤの何れかを含む信号を通信部２３によって共通線３０を介して他の装置７０から受信する。
【００３９】
制御部２１は、自装置から他の装置７０のうち第１の装置への信号であることを示す、第１のＩＤを含む信号を通信部２３から送信する。制御部２１は、前述のとおり、記憶部２４に記憶されたＩＤを特定する情報に基づいて、第１のＩＤを判定して、第１のＩＤを含む信号を通信部２３から送信してもよい。一方、制御部２１は、第１の装置から自装置に対する信号であることを示す第２のＩＤを含む信号を通信部２３によって受信する。制御部２１は、共通線３０を介して自装置の通信部２３に信号が送られると、当該信号に含まれるＩＤが第２のＩＤであるか否かを判定してもよい。制御部２１は、記憶部２４に記憶されたＩＤを特定する情報に基づいて、信号に含まれるＩＤが第２のＩＤであるか否かを判定してもよい。制御部２１は、信号に含まれるＩＤが第２のＩＤであると判定した場合に、通信部２３によって信号を受信してもよい。これによって、制御部２１は、複数の他の装置７０が通信可能に接続される共通の通信線３０において、特定の装置との情報の授受を行う。
【００４０】
第１の装置は、例えば、パワーコンディショナ１０等の蓄電装置２０の充放電を制御する装置であってもよい。かかる場合、第１のＩＤを含む信号には、蓄電装置２０のシステム状態、充放電情報、充放電可否情報、充電状態又は劣化状態、故障情報、或いは、電圧及び温度等の情報が含まれてもよい。システム状態には、例えば、正常運転モード、縮退運転モード及びメンテナンスモード等の、蓄電装置２０のシステムの状態を示す情報が含まれる。充放電情報には、例えば、放電中、充電中及び待機中等の、充放電に関する蓄電装置２０の動作を示す情報が含まれる。充放電可否情報には、例えば、コンタクタのオン又はオフ等の、蓄電装置２０の充放電の可否を示す情報が含まれる。故障情報には、例えば、正常、異常、或いは重故障等の、蓄電装置２０の故障の有無を示す情報が含まれる。一方で、第２のＩＤを含む信号には、パワーコンディショナ１０のシステム状態、充放電制御命令、再起動或いはファームウェアの更新等の処理要求、或いは、ログ送信要求等の情報が含まれてもよい。第１のＩＤ及び第２のＩＤは、それぞれ１つのみとされてもよい。或いは、第１のＩＤ及び第２のＩＤは、それぞれ、送受信される信号に含まれる情報に応じて、複数とされてもよい。
【００４１】
制御部２１は、第１のＩＤ及び第２のＩＤを、所定の処理と関連付けて記憶部２４に記憶してもよい。制御部２１は、第１のＩＤを含む信号を通信部２３にて受信すると、当該第２のＩＤに関連付けられた所定の処理を実行してもよい。制御部２１は、処理を実行した結果と第１のＩＤとを含む信号を、通信部２３から送信してもよい。例えば、第２のＩＤは、蓄電装置２０の充電状態又は劣化状態の取得を要求する通知を示すＩＤであってもよい。かかる場合、制御部２１は、第２のＩＤを、蓄電装置２０の充電量を示すＳＯＣ（State Of Charge）又は劣化度合いを示すＳＯＨ（State Of Health）を算出する処理と関連付けて記憶部２４に記憶してもよい。制御部２１は、第２のＩＤを含む信号を受信すると、ＳＯＣ又はＳＯＨを算出する処理を実行した結果と、第１のＩＤとして、充電状態又は劣化状態の通知を示すＩＤとを含む信号を、通信部２３から送信してもよい。
【００４２】
一方で、制御部２１は、蓄電装置２０からの送信先を指定しない信号であることを示す第３のＩＤを含む信号を通信部２３から送信する。これによって、制御部２１は、共通の通信線３０において、通信可能に接続される他の装置７０の全てを対象に情報を送信することができる。本明細書において、送信先を指定せずに信号を送信することを、ブロードキャストともいう。制御部２１は、任意の条件にて、信号の送信方法を、特定の装置への送信、又はブロードキャストから選択してもよい。例えば、制御部２１は、送信する情報の重要性、又は緊急性に応じて、信号の送信方法を、特定の装置への送信、又はブロードキャストから選択してもよい。制御部２１は、通常の情報を含む信号の場合には、上述した第１のＩＤ及び第２のＩＤを用いて送信先を指定して、装置間での信号の送受信を行い、緊急性を要する情報を送信する場合に、送信先を指定せずに他の装置７０の全てに信号を送信し、他の装置７０に信号の受信の要否を判定させてもよい。
【００４３】
制御部２１は、第３のＩＤを含む信号を通信部２３から所定のタイミングで繰り返し送信してもよい。制御部２１が第３のＩＤを含む信号を送信するタイミングは、所定の時間間隔ごとであってもよく、或いは所定の処理が実行されるごとであってもよい。例えば、制御部２１は、１秒間隔等、所定の時間間隔で、第３のＩＤを含む信号を送信してもよい。或いは、制御部２１は、例えば、特定の信号を受信するたび、或いは特定の処理を実行するたびに第３のＩＤを含む信号を送信してもよい。かかる場合、第３のＩＤを含む信号は、蓄電装置２０の死活監視に用いられる、所謂、ハートビート用の信号とされ得る。他の装置７０は、蓄電装置２０から送信された第３のＩＤを含む信号を受信することで、蓄電装置２０が動作している、或いは共通線３０において蓄電装置２０との接続が有効であると判定してもよい。
【００４４】
第３のＩＤを含む信号には、蓄電装置２０のシステム状態、充放電情報、充放電可否情報、故障情報、或いは、定格容量、型式、及びソフトウェアのバージョン等の情報が含まれてもよい。
【００４５】
制御部２１は、共通線３０において自装置と隣り合うノード３１に接続された装置からの、送信先を指定しない信号であることを示す、第４のＩＤを含む信号を通信部２３によって受信する。制御部２１は、共通線３０を介して自装置の通信部２３に信号が送られると、当該信号に含まれるＩＤが第４のＩＤであるか否かを判定してもよい。制御部２１は、記憶部２４に記憶されたＩＤを特定する情報に基づいて、信号に含まれるＩＤが第４のＩＤであるか否かを判定してもよい。制御部２１は、信号に含まれるＩＤが第４のＩＤであると判定した場合に、通信部２３によって信号を受信してもよい。これによって、制御部２１は、共通線３０に通信可能に接続される他の装置７０がブロードキャストした信号のうち、蓄電装置２０と隣り合うノード３１に接続された装置からの信号を選択して受信することができる。例えば、図２においては、他の装置７０Ａ及び７０Ｂが、蓄電装置２０と隣り合うノード３１に接続された装置である。例えば、制御部２１は、他の装置７０Ａからの送信先を指定しない信号、又は他の装置７０Ｂからの送信先を指定しない信号を受信する。一方で、制御部２１は、他の装置７０Ｃからの送信先を指定しない信号を受信しない。このように、制御部２１は、ブロードキャストされた信号のうち、第４のＩＤを含む信号に限定して受信してもよい。これによって、制御部２１は、自装置と隣り合うノード３１に接続された装置が動作していること、或いは共通線３０において自装置と隣り合うノード３１に接続された装置との接続が有効であることを判定してもよい。制御部２１は、第４のＩＤを含む信号を受信しない場合には、電源システム１に異常が発生していることを蓄電装置２０の制御装置に送信し、或いは報知部２５から利用者に報知してもよい。制御部２１は、前述した第１のＩＤを含む信号を送信して、異常を制御装置に通知してもよい。
【００４６】
記憶部２４に記憶される蓄電装置２０のＩＤの数は、共通線３０に接続される他の装置７０の数によらず一定の数としてもよい。例えば、制御部２１は、記憶部２４に、共通線３０で使用され得る全てのＩＤを記憶することなく、前述した、自装置が送受信する信号に含まれ得るＩＤのみを記憶してもよい。制御部２１は、記憶部２４に、具体的には、前述した第１のＩＤ、第２のＩＤ、第３のＩＤ、及び第４のＩＤのみを記憶してもよい。これにより、制御部２１は、自装置を制御する上で、通信し、或いは状態を把握すべき対象を、電源システム１に含まれる装置のうち一部の装置に限定することができる。制御部２１は、例えば、状態を把握すべき対象を、パワーコンディショナ１０等の自装置を制御する装置、及び、自装置と隣り合うノード３１に接続された装置に限定してもよい。従って、電源システム１に新たな装置が追加された場合に、共通線３０で使用され得るＩＤが増加し、或いは再付与されたとしても、記憶部２４に記憶されるＩＤの数は一定とすることができる。また、制御部２１は、新たな装置の追加に伴って、自装置の制御方法又は制御に用いる情報等を更新しなくてもよい。これにより、電源システム１の利用者が、電源システム１の蓄電容量を増やすために新たに蓄電装置２０を増設するような場合であっても、そのために既に設置されている蓄電装置２０の記憶部２４の記憶容量を増設しなくてもよい。また、これにより、電源システム１に追加可能な蓄電装置２０の数が、蓄電装置２０の記憶部２４の記憶容量等の条件に応じて、制限されることがなくなる。
【００４７】
本開示において、前述した蓄電装置２０の構成要素或いは制御部２１が実行する処理の一部又は全部は、蓄電装置２０を制御する制御装置により提供されてもよい。制御装置は、蓄電装置２０と有線又は無線により通信可能に接続された情報処理装置であってもよい。例えば、制御装置は、複数の蓄電装置２０を制御及び管理するバッテリーマネジメントシステム（Battery Management System：ＢＭＳ）に含まれてもよい。或いは、制御装置は、ホームエネルギーマネジメントシステム（Home Energy Management System：ＨＥＭＳ）に含まれてもよい。更に、制御装置は、電源システム１の電力制御装置である、パワーコンディショナ１０に含まれてもよい。
【００４８】
更に、前述した蓄電装置２０の構成要素或いは制御部２１が実行する処理の一部又は全部は、他の蓄電装置２０により提供されてもよい。かかる場合、電源システム１に含まれる複数の蓄電装置２０のうち、少なくとも１つの蓄電装置２０が、他の蓄電装置２０の制御装置として動作し得る。
【００４９】
（電源システムの動作例１）
図３を参照して、本開示の一実施形態に係る電源システム１が実行する、終端抵抗の接続及びＩＤの付与の処理の一例を説明する。図３は、電源システム１に含まれる、それぞれ共通線３０に接続された、パワーコンディショナ１０と、蓄電装置２０Ａ、２０Ｂ及び２０Ｃとを含む４つの装置を示す。パワーコンディショナ１０と蓄電装置２０Ａ、蓄電装置２０Ａと蓄電装置２０Ｂ、及び蓄電装置２０Ｂと蓄電装置２０Ｃは、それぞれ個別線４０により接続されている。これにより、パワーコンディショナ１０及び蓄電装置２０Ａ〜２０Ｃは、共通線３０の端部に位置するパワーコンディショナ１０及び蓄電装置２０Ｃが両端に位置するように、共通線３０における隣り合うノード３１の装置と個別線４０により直列に接続されている。説明のため、図３において左側を上位と呼び、右側を下位とよぶ。本実施形態において、ユーザ等によって、図３に示すとおり、電源システム１に含まれる装置の設置及び配線等を含む設置作業が行われる。設置作業が終わると、ユーザ等によって、最上位に位置するパワーコンディショナ１０の終端抵抗２７が共通線３０に接続され、パワーコンディショナ１０のＩＤが設定される。この時点において、蓄電装置２０Ａ、２０Ｂ、及び２０Ｃのそれぞれは、終端抵抗が未接続の状態で、ＩＤが設定されていないものとする。
【００５０】
図３において、例えば、電源システム１に含まれるパワーコンディショナ１０、蓄電装置２０Ａ、２０Ｂ、及び２０Ｃの電源が入れられると、終端抵抗を接続する処理、及びＩＤを付与する処理が開始する。それぞれの装置は、個別線４０を介して、それぞれの上位に位置する装置に、自装置の存在を示す存在通知信号を送信する。また、それぞれの装置は、個別線４０を介して、それぞれの下位に位置する装置から、当該下位に位置する装置の存在通知信号を受信する。例えば、蓄電装置２０Ｂは、蓄電装置２０Ａに蓄電装置２０Ｂの存在通知信号を送信し、蓄電装置２０Ｃから蓄電装置２０Ｃの存在通知信号を受信する。それぞれの装置は、それぞれの下位に位置する装置の存在通知信号を受信しない場合、自装置が共通線３０の端部に接続されていると判定し、自装置の終端抵抗２７を共通線３０に接続する。本例においては、蓄電装置２０Ｃは、それより下位に位置する装置が接続されていないため、下位に位置する装置の存在通知信号を受信しない。したがって、蓄電装置２０Ｃは、終端抵抗２７を共通線３０に接続する。これにより、パワーコンディショナ１０及び２０Ｃの終端抵抗２７が共通線３０に接続され、蓄電装置２０Ａ及び２０Ｂの終端抵抗２７が共通線３０に未接続とされる。
【００５１】
更に、電源システム１に含まれるパワーコンディショナ１０、蓄電装置２０Ａ、２０Ｂ、及び２０Ｃは、それぞれの上位に位置する装置から、その装置のＩＤを含むＩＤ信号を受信する。それぞれの装置は、それぞれの上位に位置する装置のＩＤに基づき、自装置のＩＤを設定する。それぞれの装置は、ＩＤが設定された場合、それぞれの下位に位置する装置に、自装置のＩＤを含むＩＤ信号を送信する。電源システム１において、パワーコンディショナ１０のＩＤが予め設定されているため、蓄電装置２０Ａは、パワーコンディショナ１０のＩＤを含むＩＤ信号を受信する。蓄電装置２０Ａは、この情報をもとに、例えば、受信したＩＤの値に所定の数値を加算する処理を行い、自装置のＩＤを記憶部２４に記憶する。その後、蓄電装置２０Ａは、蓄電装置２０ＡのＩＤを含むＩＤ信号を、蓄電装置２０Ｂに送信する。本処理により、蓄電装置２０Ａ、２０Ｂ、及び２０ＣのＩＤが設定される。
【００５２】
本処理では、複数のＩＤが蓄電装置２０Ａに設定される。具体的には、蓄電装置２０Ａからパワーコンディショナ１０への信号であることを示す第１のＩＤ（IDfrom20Ato10_1）が、蓄電装置２０Ａに設定される。パワーコンディショナ１０から蓄電装置２０Ａへの信号であることを示す第２のＩＤが、蓄電装置２０Ａに設定される。第２のＩＤとして、充放電の制御命令を送信する際に使用するＩＤ（IDfrom10to20A_1）と、ハートビートの制御命令を送信する際に使用するＩＤ（IDfrom10to20A_2）とが、蓄電装置２０Ａに設定される。蓄電装置２０Ａからの送信先を指定しない信号であることを示す第３のＩＤ（IDfrom20AtoALL）が、蓄電装置２０Ａに設定される。更に、共通線３０における蓄電装置２０と隣り合う装置からの、送信先を指定しない信号であることを示す、第４のＩＤが、蓄電装置２０Ａに設定される。第４のＩＤとして、パワーコンディショナ１０からの送信先を指定しない信号のＩＤ（IDfrom10toALL）と、蓄電装置２０Ｂからの送信先を指定しない信号のＩＤ（IDfrom20BtoALL）とが、蓄電装置２０Ａに設定される。蓄電装置２０Ｂ及び２０ＣのＩＤにも、それぞれ蓄電装置２０Ａと同様に６つのＩＤが含まれる。これらの処理の後、共通線３０に接続されるパワーコンディショナ１０及び蓄電装置２０Ａ〜２０Ｃは、共通線３０を介して、他の装置と通信を開始する。
【００５３】
次に、図４及び図５を参照して、本開示の一実施形態に係る電源システム１に含まれる装置の通信処理を説明する。図４は、電源システム１に含まれる、それぞれ共通線３０に接続された、パワーコンディショナ１０、蓄電装置２０Ａ、２０Ｂ及び２０Ｃによる通信処理の一例を示すシーケンス図である。図４は、パワーコンディショナ１０による蓄電装置２０Ａの充放電の制御を行う例を示す。
【００５４】
図４において、まず、パワーコンディショナ１０は、蓄電装置２０Ａに対する放電の開始又は終了、或いは充電の開始又は終了等を含む充放電の制御命令を作成する（ステップＳ１０１）。パワーコンディショナ１０は、作成した充放電の制御命令と、蓄電装置２０Ａに対する充放電の制御命令を送信する際に使用する第２のＩＤ（IDfrom10to20A_1）とを含む信号を共通線３０に送信する（ステップＳ１０２）。蓄電装置２０Ａ〜２０Ｃのそれぞれは、共通線３０を介して送信された信号に含まれる第２のＩＤ（IDfrom10to20A_1）が記憶部２４に記憶されているか否かを判定する（ステップＳ１０３）。判定の結果、第２のＩＤ（IDfrom10to20A_1）を記憶している蓄電装置２０Ａのみが、信号を受信し、第２のＩＤ（IDfrom10to20A_1）に関連付けられた充放電の処理を実行する（ステップＳ１０４）。蓄電装置２０Ａは充放電の処理が完了すると、充放電の処理の結果と、本処理に関連付けられた第１のＩＤ（IDfrom20Ato10）を含む信号を共通線３０に送信する（ステップＳ１０５）。パワーコンディショナ１０、蓄電装置２０Ｂ及び２０Ｃのそれぞれは、共通線３０を介して送信された信号に含まれる第１のＩＤ（IDfrom20Ato10）が、記憶部２４に記憶されているか否かを判定する（ステップＳ１０６）。判定の結果、第１のＩＤ（IDfrom20Ato10）を記憶しているパワーコンディショナ１０のみが、信号を受信し、第２のＩＤ（IDfrom10to20A_1）に関連付けられた処理を実行する（ステップＳ１０７）。例えば、第２のＩＤ（IDfrom10to20A_1）に関連付けられた処理には、受信した、充放電の処理の結果の記憶及び表示、或いは充放電の処理の結果に基づく新たな充放電の制御命令の作成等が含まれてもよい。
【００５５】
（電源システムの動作例２）
図５は、パワーコンディショナ１０による蓄電装置２０Ａのハートビートの制御を行う例を示す。図５において、まず、パワーコンディショナ１０は、例えば、蓄電装置２０Ａに対するハートビート信号の送信の開始又は終了を含むハートビートの制御命令を作成する（ステップＳ２０１）。パワーコンディショナ１０は、作成したハートビートの制御命令と、ハートビートの制御命令を送信する際に使用する第２のＩＤ（IDfrom10to20A_2）とを含む信号を共通線３０に送信する（ステップＳ２０２）。蓄電装置２０Ａ〜２０Ｃのそれぞれは、共通線３０を介して送信された信号に含まれる第２のＩＤ（IDfrom10to20A_2）が記憶部２４に記憶されているか否かを判定する（ステップＳ２０３）。判定の結果、第２のＩＤ（IDfrom10to20A_2）を記憶している蓄電装置２０Ａのみが、信号を受信し、第２のＩＤ（IDfrom10to20A_2）に関連付けられたハートビートの処理を実行する。第２のＩＤ（IDfrom10to20A_2）に関連付けられたハートビートの処理は、例えば、１秒間隔で、第３のＩＤ（IDfrom20AtoALL）を含む信号を送信する処理であってもよい。蓄電装置２０Ａは、第３のＩＤ（IDfrom20AtoALL）を含む信号を１秒間隔で共通線３０に送信する（ステップＳ２０４）。パワーコンディショナ１０、蓄電装置２０Ｂ及び２０Ｃのそれぞれは、共通線３０を介して送信された信号に含まれるＩＤ（IDfrom20AtoALL）が、記憶部２４に記憶されているか否かを判定する（ステップＳ２０５）。判定の結果、蓄電装置２０Ａと隣り合うノード３１に接続されておりＩＤ（IDfrom20Ato10）を第４のＩＤとして記憶しているパワーコンディショナ１０及び蓄電装置２０Ｂが、信号を受信する（ステップＳ２０６）。パワーコンディショナ１０及び蓄電装置２０Ｂは、当該信号は所定期間受信しない場合に、蓄電装置２０Ａが正しく動作していない、或いは共通線３０において蓄電装置２０Ａとの接続が無効になっていると判定してもよい。一方で、蓄電装置２０Ｃは、蓄電装置２０Ａの状態及び蓄電装置２０Ａとの通信の状態の監視は行わない。
【００５６】
以上述べたように、本実施形態に係る電源装置である蓄電装置２０は、少なくとも１つの他の装置７０とともにバス型の通信線３０に接続される。蓄電装置２０は、記憶部２４と、通信部２３と、制御部２１と、を備える。制御部２１は、自装置から他の装置７０のうち第１の装置への信号であることを示す第１のＩＤ、及び自装置からの送信先を指定しない信号であることを示す第３のＩＤを記憶部２４に記憶する。制御部２１は、第１のＩＤを含む信号又は第３のＩＤを含む信号を通信部２３から送信する。かかる構成によれば、蓄電装置２０は、他の装置７０とともにバス型の通信線３０に接続された状態で、蓄電装置２０の制御装置等の特定の装置への信号の送信を行いつつ、他の装置７０全体への信号のブロードキャストを行うことができる。このように、ＩＤを指定するだけで、応答を必要とする個別の装置との通信と、応答を必要としない全体へのブロードキャストとを行うことができ、複数のプロトコルを搭載しなくとも良く、簡便な構成とすることができる。また、蓄電装置２０は、通常の情報を含む信号の場合には、送信先を指定して信号を送信し、緊急性を要する情報を含む信号の場合には、相手を特定せずに情報を配信し、必要な装置に受信させることができる。このため、複数の電源装置を制御する技術の有用性が向上する。
【００５７】
以上述べたように、本実施形態に係る電源装置である蓄電装置２０の制御部２１は、第１の装置から自装置への信号であることを示す第２のＩＤを記憶部２４に記憶する。制御部２１は、第２のＩＤを含む信号を通信部２３にて受信する。かかる構成によれば、蓄電装置２０は、他の装置７０とともにバス型の通信線３０に接続された状態で、蓄電装置２０の制御装置等の特定の装置との間で信号の送受信を行うことができる。このため、複数の電源装置を制御する技術の有用性が向上する。
【００５８】
本実施形態に係る電源装置である蓄電装置２０の制御部２１は、第１のＩＤ及び第２のＩＤを所定の処理と関連付けて記憶部２４に記憶する。制御部２１は、第２のＩＤを含む信号を通信部２３にて受信すると、所定の処理を実行した結果と第１のＩＤとを含む信号を、通信部２３から送信する。かかる構成によれば、蓄電装置２０は、蓄電装置２０の制御装置等からの信号に含まれるＩＤに応じて、所定の処理の実行及びその処理結果の送信を自動で実施することができる。このため、複数の電源装置を制御する技術の有用性が向上する。
【００５９】
本実施形態に係る電源装置である蓄電装置２０の制御部２１は、第３のＩＤを含む信号を通信部２３から所定のタイミングで繰り返し送信する。かかる構成によれば、蓄電装置２０は、第３のＩＤを含む信号を送信することで、他の装置に対して、蓄電装置２０が動作していること、或いは共通線３０において蓄電装置２０との接続が有効であることを判定させることができる。このため、複数の電源装置を制御する技術の有用性が向上する。
【００６０】
本実施形態に係る電源装置である蓄電装置２０の制御部２１は、バス型の通信線３０において自装置と隣り合うノード３１に接続された装置からの、送信先を指定しない信号であることを示す、第４のＩＤを記憶する。制御部２１は、第４のＩＤを含む信号を通信部２３にて受信する。かかる構成によれば、蓄電装置２０は、他の装置の動作確認、或いは共通線３０における他の装置との接続の有効性判定等の処理を行う対象を限定することができ、他の装置の増加に伴って、蓄電装置２０における処理量及びデータ量が増加する蓋然性を下げ得る。このため、複数の電源装置を制御する技術の有用性が向上する。
【００６１】
本実施形態に係る電源装置である蓄電装置２０の記憶部２４に記憶されるＩＤの数は、バス型の通信線３０に接続される他の装置の数によらず一定の数である。かかる構成によれば、電源システム１に含まれる装置の増加に伴って、蓄電装置２０の処理量及び使用メモリサイズが増加する蓋然性を下げ得る。このため、複数の電源装置を制御する技術の有用性が向上する。
【００６２】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段、又は各ステップ等に含まれる機器等は論理的に矛盾しないように再配置可能である。複数の手段又はステップ等を１つに組み合わせたり、或いは分割したりすることが可能である。
【００６３】
例えば、前述した実施形態において、電源装置は、蓄電装置であるものとして説明したが、この限りではない。電源装置は、例えば、太陽電池、風力発電装置、及び燃料電池等であってもよい。
【符号の説明】
【００６４】
１  電源システム
１０  パワーコンディショナ
２０  蓄電装置
２１  制御部
２２  蓄電部
２３  通信部
２４  記憶部
２５  報知部
２６  入力部
２７  終端抵抗
２８  スイッチ
３０  共通の通信線（バス型の通信線、共通線）
３１  ノード
４０  個別の通信線（個別線）
５０  電力系統
６０  負荷
７０  装置
【図１】
2020017930.tif 000003
【図２】
2020017930.tif 000004
【図３】
2020017930.tif 000005
【図４】
2020017930.tif 000006
【図５】
2020017930.tif 000007